【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
送信するデータに応じて間欠的に発生するパルスが配列された第１の信号を生成するパルス発生器と、
連続波である第２の信号を発生する発振器と、
上記パルス発生器が出力する上記第１の信号と上記発振器が出力する上記第２の信号とを入力して上記第１の信号を周波数変換し、それによって第３の信号を出力する周波数変換器と、
上記周波数変換器が出力する上記第３の信号を増幅する増幅器と、
上記増幅器が出力する上記第３の信号を空中に放射するアンテナとを具備して成り、
間欠的に発生する上記パルスの休止期間において、上記アンテナから出力される上記第３の信号への上記第２の信号の漏洩が低減されることを特徴とする送信機。
【請求項２】
請求項１において、
間欠的に発生する上記パルスの発生期間を含むパルス幅を有する第４の信号を生成する制御パルス発生器を更に具備し、
上記第３の信号への上記第２の信号の漏洩を低減するために上記第４の信号が用いられることを特徴とする送信機。
【請求項３】
請求項２において、
上記発振器から上記アンテナに至る上記第２の信号の信号伝送路において、上記信号伝送路は、上記第４の信号の上記休止期間に対応する期間に上記第２の信号の伝送が抑制される部位を含んでいることを特徴とする送信機。
【請求項４】
請求項２において、
上記増幅器は、上記第４の信号の上記休止期間に対応する期間に増幅後の上記第３の信号の出力レベルを低減することを特徴とする送信機。
【請求項５】
請求項２において、
上記周波数変換器は、上記第４の信号の上記休止期間に対応する期間に上記第３の信号の出力レベルを低減することを特徴とする送信機。
【請求項６】
請求項２において、
上記発振器は、上記第４の信号の上記休止期間に対応する期間に上記第２の信号の出力レベルを低減することを特徴とする送信機。
【請求項７】
請求項２において、
上記周波数変換器と上記発振器の間に上記第４の信号によって開閉するスイッチが接続されており、上記スイッチは、上記第４の信号の上記休止期間に対応する期間に開いて、上記第２の搬送波信号を遮断することを特徴とする送信機。
【請求項８】
請求項２において、
上記周波数変換器と上記発振器との間に上記第２の信号を増幅するバッファ増幅器が接続されており、上記バッファ増幅器は、上記第４の信号の上記休止期間に対応する期間に増幅後の上記第２の信号の出力レベルを低減することを特徴とする送信機。
【請求項９】
請求項２において、
上記アンテナは整合回路を備えており、上記整合回路は、上記第４の信号の上記休止期間に対応する期間に上記アンテナに与える上記第３の信号の出力レベルを低減することを特徴とする送信機。
【請求項１０】
請求項２において、
上記増幅器と上記アンテナとの間に送受信を切り替える切替器が接続されており、上記切替器は、上記第４の信号の上記休止期間に対応する期間は受信に切り替えられていることを特徴とする送信機。
【請求項１１】
送信データを入力して第３の信号を出力する送信回路と、
上記送信信号を空中に放射し、かつ、到来する電波を受信して第４の信号を出力するアンテナと、
上記アンテナが出力する上記第４の信号を入力して、受信データを出力する受信回路と、
上記送信回路と上記アンテナとの接続と、上記アンテナと上記受信回路との接続とを切り替える切替器とを具備して成り、
上記送信回路は、
送信するデータに応じて間欠的に発生するパルスが配列された第１の信号を生成するパルス発生器と、
連続波である第２の信号を発生する発振器と、
上記パルス発生器が出力する上記第１の信号と上記発振器が出力する上記第２の信号とを入力して上記第１の信号を周波数変換し、それによって第３の信号を出力する周波数変換器と、
上記周波数変換器が出力する上記第３の信号を増幅する増幅器と、
上記増幅器が出力する上記第３の信号を空中に放射するアンテナとを具備して成り、
間欠的に発生する上記パルスの休止期間において、上記アンテナから出力される上記第３の信号への上記第２の信号の漏洩が低減されることを特徴とする送受信機。
【請求項１２】
請求項１１において、
間欠的に発生する上記パルスの発生期間を含むパルス幅を有する第５の信号を生成する制御パルス発生器を更に具備し、
上記第３の信号への上記第２の信号の漏洩を低減するために上記第５の信号が用いられることを特徴とする送受信機。
【請求項１３】
請求項１２において、
上記発振器から上記アンテナに至る上記第２の信号の信号伝送路において、上記信号伝送路は、上記第５の信号の上記休止期間に対応する期間に上記第２の信号の伝送が抑制される部位を含んでいることを特徴とする送受信機。
【請求項１４】
請求項１２において、
上記増幅器は、上記第５の信号の上記休止期間に対応する期間に増幅後の上記第３の信号の出力レベルを低減することを特徴とする送受信機。
【請求項１５】
請求項１２において、
上記周波数変換器は、上記第５の信号の上記休止期間に対応する期間に上記第３の信号の出力レベルを低減することを特徴とする送受信機。
【請求項１６】
請求項１２において、
上記発振器は、上記第５の信号の上記休止期間に対応する期間に上記第２の信号の出力レベルを低減することを特徴とする送受信機。
【請求項１７】
請求項１２において、
上記周波数変換器と上記発振器の間に上記第５の信号によって開閉するスイッチが接続されており、上記スイッチは、上記第５の信号の上記休止期間に対応する期間に開いて、上記第２の搬送波信号を遮断することを特徴とする送受信機。
【請求項１８】
請求項１２において、
上記周波数変換器と上記発振器との間に上記第２の信号を増幅するバッファ増幅器が接続されており、上記バッファ増幅器は、上記第５の信号の上記休止期間に対応する期間に増幅後の上記第２の信号の出力レベルを低減することを特徴とする送受信機。
【請求項１９】
請求項１２において、
上記切替器は、上記第５の信号の上記休止期間に対応する期間は受信に切り替えられていることを特徴とする送受信機。
【手続補正２】
【補正対象書類名】明細書
【補正対象項目名】０００４
【補正方法】変更
【補正の内容】
【０００４】
【特許文献１】特開２００２−３３５１８９号公報
【特許文献２】特表２００３−５１５９７４号公報
【特許文献３】特表平１０−５０８７２５号公報
【非特許文献１】ウィン、エム・ゼット（Win, M.Z.）他、「インパルス・ラジオ：ハウ・イッツ・ワークス（Impulse Radio: How it works）、（米国）、アイイーイーイー・コミュニケーションズ・レタース（IEEE Communications Letters）、１９９８年１月、第２巻第１号、Ｐ．１０−１２
【手続補正３】
【補正対象書類名】明細書
【補正対象項目名】００４３
【補正方法】変更
【補正の内容】
【００４３】
図５に制御信号0300を生成する別の回路構成例を示す。本構成においては、パルスを生成する外部コントローラ(EXTCONT)0500を用いて、間欠動作が実現される。外部コントローラ0500は、所定のパルス繰り返し周期を持つ制御信号0300を生成して出力する。制御信号0300は、パルス発生器0140及び電力増幅器0110に入力される。
【手続補正４】
【補正対象書類名】明細書
【補正対象項目名】００５３
【補正方法】変更
【補正の内容】
【００５３】
本実施形態の構成例のうち、パルスの非出力時に対応する期間tCに電力増幅器0110の電力遮断を行なう構成では、電力増幅器0110での不要な電力消費を抑えることができる効果がある。
（第２の実施形態）
本発明の第２の実施形態を図１２に示す。本実施形態では、ミキサ0130とローカル発振器0120の間にスイッチ0700が配置される。パルス発生器から出力される制御信号0300がスイッチ0700に入力される。スイッチ0700は、パルス発生器0140からのパルス出力時に、ローカル発振器0120が出力するＬＯ信号をミキサ0130に伝送することで、ミキサ0130はパルス発生器0140からのパルス出力を高周波信号に周波数変換する。また、パルスの非出力時に対応する期間tCにはスイッチ0700は断となり、ローカル発振器0120の出力信号のミキサ0130への供給が断たれる。これにより、アンテナにおけるローカルリークを低減することができる。本構成では、回路の電源遮断が発生しないため、消費電力の低減がない一方で、送信機の安定な動作が期待される。また、スイッチ0700の切替は、数ナノ秒で実現されるため、高速なパルス列が送信される場合でも対応が可能である。
（第３の実施形態）
本発明の第３の実施形態を図１３に示す。本実施形態においては、パルス発生器0140から出力される制御信号0300がローカル発振器0120に入力される。ローカル発振器0120は、制御信号0300よってそのＬＯ信号出力を変化させる。制御信号0300のパルス出力時にローカル発振器0120から所望の周波数及び出力でＬＯ信号が出力され、パルス非出力時に対応する期間tCにＬＯ信号が低減又は遮断される。これにより、アンテナにおけるローカルリークを低減することができる。ＬＯ信号を遮断する方法としては、ローカル発振器0120の電源遮断などがある。なお、ローカル発振器0120は、所定の高周波信号を発信する回路で、ＰＬＬ(Phase Locked Loop)やＶＣＯ(Voltage Controlled Oscillator)などが使用される。
（第４の実施形態）
本発明の第４の実施形態を図１４に示す。本実施形態では、ミキサ0130とローカル発振器0120の間にバッファアンプ（バッファ増幅器）1400が配置される。バッファアンプ1400は、ローカル発振器0120の出力インピーダンスの変化を吸収する。また、バッファアンプ1400にパルス発生器0140から出力される制御信号0300が与えられる。制御信号0300のパルス非出力時に対応する期間tCに、バッファアンプ1400は電源遮断等により開放状態になる。それにより、ローカル発振器0120からの出力が遮断され、アンテナ0000におけるローカルリークを低減することができる。
（第５の実施形態）
本発明の第５の実施形態を図１５に示す。本実施形態においては、パルス発生器0140から出力される制御信号0300がミキサ0130に入力される。制御信号0300のパルス非出力時に対応する期間tCにミキサ0130の利得が低減され又は動作が停止される。それにより、アンテナにおけるローカルリークを低減することができる。
（第６の実施形態）
本発明の第６の実施形態を図１６に示す。本実施形態においては、パルス発生器0140から出力される制御信号0300がアンテナ0000に入力される。図示していないが、アンテナ0000は整合回路を有し、制御信号0300のパルス非出力時に対応する期間tCに、同整合回路の整合状態が調整され、又は接続が開放される。それにより、ローカルリークを低減することができる。
（第７の実施形態）
本発明の送受信機による第７の実施形態を図１７Ａに示す。図１７Ａにおいて、1600は、電力増幅器0110とアンテナ0000の間に配置され、送受信で接続を切り替える送受信切替スイッチ、1610は、電力増幅器0110とローカル発振器0120とミキサ0130とパルス発生器0140とを含んで構成されるＵＷＢ送信回路、1620はＵＷＢ受信回路をそれぞれ示す。ＵＷＢ送信回路1610は、送信データを入力して高周波信号（第１の信号）0230を出力する。ＵＷＢ受信回路1620は、アンテナ0000によって受信された受信高周波信号（第４の信号）を入力して受信データを出力する。本実施形態の送受信機は、ＵＷＢ送信回路1610、送受信切替スイッチ1600、アンテナ0000及びＵＷＢ受信回路1620を含んで構成される。